(57)【要約】【課題】遺体のサイズに拘らず、遺体の顔のみならず全身を確認できるとともに、遺体を人目に晒さないようにすることで、故人の尊厳を損なわず、遺族感情にも配慮できるようにし、且つ、衛生的に遺体を収納することができる遺体収納袋を提供すること。【解決手段】袋体２の上面には、矢印Ａ及び矢印Ｂの方向に折り畳み可能な遺体収納片３が延設されており、袋体２の長手方向の一部と、これと接する遺体収納片３の長手方向の一部とが、連続する透明シートで形成されることで、遺体収納片３を矢印Ａの方向に折り畳むことで遺体の全身を確認でき、遺体収納片３を矢印Ｂの方向に折り畳むことで遺体を人目から隠すことができる。【選択図】図１
0003181856.tif 000002
【実用新案登録請求の範囲】
【請求項１】
ポリエチレンなどの多層プラスチックシートを接合することで形成され、遺体を収納する開口部にはこれを閉止するためのファスナーが設けられている遺体収納袋であって、
（１）遺体を収納する袋体の上面には、その短手方向の中央部に長手方向と同じ寸法の遺体収納片が折り畳み可能な状態で延設されており、
（２）前記袋体上面の長手方向の一部と、これと接する前記遺体収納片の長手方向の一部とを、連続する透明シートで形成することで、全身を確認できる遺体確認窓が設けられており、
（３）前記遺体収納片は、その端部に遺体を収納するための開口部が設けられており、これを折り畳むことで前記遺体確認窓が隠れる寸法を有している、
ことを特徴とする遺体収納袋。
【考案の詳細な説明】
【技術分野】
【０００１】
本考案は、故人の尊厳を保ちつつ衛生的に遺体を収納するための遺体収納袋に関する。
【背景技術】
【０００２】
従来から亡くなった方の遺体を収納するための遺体収納袋は種々存在し、最近では遺族の感情に配慮して遺体の顔を隠せるような確認窓を設けた遺体収納袋も開発されるようになっている。しかしながら、人間の身体の大きさは個人差があるため、遺体収納袋に合致した標準サイズの遺体でない場合は、顔と確認窓の位置が合致せず、十分に顔を確認できないといった問題があった。
【０００３】
また、我が国でも東日本大震災という未曾有の大災害が発生したが、災害や事故で損傷の激しい遺体の場合、顔以外の部位の身体的特徴をチェックすることで身元の確認作業を行わねばならない。斯かるところ、顔しか視認できない確認窓の遺体収納袋の場合、せっかく遺体を収納した収納袋のファスナーを再び開くことでその確認を行わざるを得ず、臭気や体液の漏出や、ウィルス拡散等による感染症など、苦痛やリスクを伴う作業となっていた。
【０００４】
更に、遺体を収納する開口部をシートの上部や横部を切り欠くことで設けただけの遺体収納袋では、ファスナーを開けても開口部が開くことはないため、遺体を収納するためには人の手を借りて開口部を開口させておかねばならず、人手が掛かって煩わしいという問題があった。
【先行技術文献】
【特許文献】
【０００５】
【特許文献１】実用新案登録第３１７３０３７号公報
【考案の概要】
【考案が解決しようとする課題】
【０００６】
解決しようとする問題点は、遺体のサイズに拘らず、遺体の顔のみならず全身を確認できるとともに、故人の尊厳を損なわず、遺族感情にも配慮できるようにし、且つ、衛生的に遺体を収納することができる遺体収納袋を提供する点にある。
【課題を解決するための手段】
【０００７】
本考案は、上の課題を解決するため、ポリエチレンなどの多層プラスチックシートを接合することで形成され、遺体を収納する開口部にはこれを閉止するためのファスナーが設けられている遺体収納袋であって、（１）遺体を収納する袋体の上面には、その短手方向の中央部に長手方向と同じ寸法の遺体収納片が折り畳み可能な状態で延設されており、（２）前記袋体上面の長手方向の一部と、これと接する前記遺体収納片の長手方向の一部とを、連続する透明シートで形成することで、全身を確認できる遺体確認窓が設けられており、（３）前記遺体収納片は、その端部に遺体を収納するための開口部が設けられており、これを折り畳むことで前記遺体確認窓が隠れる寸法を有している遺体収納袋を提案する。
【考案の効果】
【０００８】
遺体は全身の筋肉が弛緩することで予想以上に重いため、遺体収納袋への遺体の収納を如何に簡便に行えるかが非常に重要である。特に、大災害で多くの人が亡くなった場合は、遺体収納の作業に多くの人手を要するため、できる限り少ない人手で収納できることが求められる。また、自宅や病院のベッドで亡くなった場合はまだしも、災害や事故で亡くなった場合は遺体の損傷が激しく、顔だけでは身元の確認ができないことがあり、その場合は他の身体的特徴をチェックことで身元確認を行う必要がある。更に、遺体の損傷の有無に拘らず、亡骸を人目に晒した状態にすることを好まない傾向があるため、個人の尊厳や遺族の感情にも十分に配慮する必要がある。
【０００９】
本考案の遺体収納袋はかかる点を重視して開発したものであり、遺体収納袋への遺体の収納を容易かつ最小限の人手で行えるようにするとともに、身元確認のために故人の顔だけでなく全身を視認することができるようにし、しかも、確認時以外は遺体を隠せるようにしたことで、故人の尊厳を損なわず、遺族の感情にも十分に配慮することができる。また、遺体がどのようなサイズでも、常に頭からつま先までの全身を確認することができる。
【図面の簡単な説明】
【００１０】
【図１】図１は遺体収納袋の実施例を示した概略斜視図である。
【図２】図２は収納した遺体を視認できる状態とした遺体収納袋の概略平面図である。
【図３】図３は収納した遺体を隠す状態とした遺体収納袋の概略斜視図である。
【考案を実施するための形態】
【実施例】
【００１１】
本考案の実施形態は図１に示すとおりであり、１は本件の遺体収納袋、２は袋体、３は遺体収納片、４は開口部、５は透明シート、６はスライダー、Ａ及びＢは遺体収納片の折り畳み方向を示す矢印、Ｘは袋体の短手方向、Ｙは袋体の長手方向である。以下、図１に基づいて本考案の構成を説明する。
【００１２】
（遺体収納袋）
本考案に係る遺体収納袋１は、全体がポリエチレンなどの多層プラスチックシートを接合することで形成されており、厚みがあるため破れ難く、体液等が滲み出てくることもない。また、遺体を収納する開口部４にはファスナーが設けられており、遺体収納後にスライダー６をスライドさせることで開口部４を閉止できる。
【００１３】
（ファスナー）
開口部４にはファスナーが設けられており、ファスナーはスライダー６をスライドさせることで体液や臭気の漏出を遮断できる高気密・高密閉タイプのものであり、既存のファスナーを用いる。
【００１４】
（袋体）
袋体２は、開口部４から収納した遺体を収容するための部材であり、遺体を収容するに十分な容積を持つ中空の袋状となっている。
【００１５】
（遺体収納片）
遺体収納片３は、遺体を収納する開口部４を持つ部材であり、袋体２の短手方向Ｘの中央部に位置し、袋体２の長手方向Ｙと同じ寸法を持つ片であり、矢印Ａ及び矢印Ｂの方向に折り畳み可能となっている。遺体収納片３は袋体２の上部に延設されているが、一枚のシートを折って袋体２と遺体収納片３を形成したものでも、又は、袋体２の上面と連続するよう遺体収納片３を熱圧着等により接合したものでも、どちらでも構わない。また、遺体収納片３はこれを矢印Ｂの方向に最大まで折り畳んだ場合に、後述する遺体確認窓５の全体が隠れる寸法を有している。
【００１６】
（遺体確認窓）
遺体確認窓５は、袋体２に収容した遺体を確認するための窓部であり、袋体２の長手方向Ｙの一部と、これと接する遺体収納片３の長手方向の一部とを、連続する透明シートにて形成したものである。遺体確認窓５は、一枚の透明シートで袋体２と遺体収納片３を形成したものに、遺体確認窓５となる部位を除いて印刷加工を施すことで、遺体確認窓５だけが透明部分として残るようにしたものでも、又は、一枚のシートで形成した袋体２と遺体収納片３の一部を切除し、その切除部分に透明シートを熱圧着等で接合したものでも、若しくは、袋体２の上面に遺体収納片３を設ける際に透明シートを熱圧着等により接合したものでも、いずれの構成でも構わない。
【００１７】
（遺体の収納方法）
上のように構成された本考案に係る遺体収納袋を用いて遺体を収納する方法を、図１乃至図３に基づいて説明すると、以下のとおりである。
遺体が運び込まれたら先ず、遺体収納片３の開口部４に設けられたファスナーを、スライダー６をスライドさせて開口する。続いて、全開になった開口部４を押し広げて遺体を載置するスペースを作っておく。次いで、開口部４を押し広げて作ったスペース上に遺体を載置し、全身を袋体２の内部に収容する。収容が完了したら、再びスライダー６をスライドさせて開口部４のファスナーを閉止することで、収納が完了する。
【００１８】
袋体の上面や横部にただファスナーを設けただけの従来の遺体収納袋では、ファスナーのスライドにより開口部を開けることはできるが、遺体を収納するためには誰かが開口部を手に持って開いた状態にしていなければならず、人手が掛かるという欠点があった。この点、本考案の遺体収納袋では上で述べたとおり、袋体２の上面に遺体収納片３を延設し、これを押し広げることで遺体を載置するスペースを予め作っておけるため、遺体を収納するための人手が最小限で済むといったメリットがある。
【００１９】
（遺体の確認と安置）
かくして遺体の袋体２内への収容が完了し、遺族が遺体を確認する場合は、遺体収納片３を矢印Ａの方向に最大まで折り畳むことで、図２に示すとおり、透明シートからなる遺体確認窓５の全体が現出し、遺体の顔だけでなく全身が確認できるようになる。災害や事故で遺体の損傷が激しい場合は、顔だけでなく他の部位の身体的特徴から身元確認を行う必要があり、その作業は遺族だけでなく、警察・消防なども携わることになる。そのため、顔しか確認できない従来の遺体収納袋では、一旦、収納した遺体を再び袋外に出して確認を行わねばならなかったため、体液や臭気の漏出をはじめ、ウィルス等による感染症など、さまざまな苦痛やリスクを伴う作業となっていた。この点、本考案の遺体収納袋では上で述べたように、遺体確認窓５から顔を含めた遺体の全身が確認できるため、このような苦痛やリスクを解消できるというメリットがある。また、顔しか確認できない従来の遺体収納袋では、遺体のサイズによっては確認窓と顔の位置が合わず、しっかり確認できないという問題もあったが、本考案の遺体収納袋ではその問題もない。
【００２０】
故人との最後の別れのための遺体との面会や身元確認が終了したら、図２の状態となっている遺体収納片３を図１の矢印Ｂの方向に最大まで折り畳むことで、図３に示すとおり、透明部分である遺体確認窓５が隠れ、袋体２内の遺体が見えなくなるため、遺体を人目に晒すことから守りながら安置することができる。綺麗な姿で最後を迎えたのであればまだしも、災害や事故などで死亡するケースも多く、その場合は遺体が著しく損傷していることもあるため、痛ましい姿を人目に晒すことは、見る側にとっても見られる側にとっても残酷である。本考案の係る遺体収納袋では上で述べたように、遺体を人目から完全に遮断して安置することができるため、故人の尊厳を損なわず、また、辛い遺族の感情にも配慮できるというメリットがある。
【産業上の利用可能性】
【００２１】
本考案に係る遺体収納袋は、平時の状態で亡くなった方の遺体でも、災害や事故で亡くなった方の遺体であっても、簡便且つ衛生的に遺体を収納できるとともに、遺体の確認や人目からの遮断も容易にできるため、遺体の状態に拘わらず、葬儀の分野全般で利用することができる。
【符号の説明】
【００２２】
１      遺体収納袋
２      袋体
３      遺体収納片
４      開口部
５      遺体確認窓
６      スライダー
Ａ      遺体収納片の折り畳み方向
Ｂ      遺体収納片の折り畳み方向
Ｘ      袋体の短手方向
Ｙ      袋体の長手方向
【図１】
0003181856.tif 000003
【図２】
0003181856.tif 000004
【図３】
0003181856.tif 000005